(57)【特許請求の範囲】
【請求項１】
装飾片が取り付けられる装飾片取付け部と、チェーンが取り付けられるチェーン取付け孔が貫通、開口された台座と、該台座の両側にはドーナツ形の車輪からなる回転部材を備えた装身具用ペンダントにおいて、前記装飾片取付け部が前記台座の時計の針で概ね８時の位置に形成される吊下輪であり、かつ前記チェーン取付け孔が前記台座の上端に形成されていることで、前記台座のチェーン取付け孔に前記チェーンが挿通されて装身具用ペンダントがぶら下げられると、前記回転部材が上下方向に回転し、前記装飾片が定位置になることを特徴とする装身具用ペンダント。
【請求項２】
チェーンが取り付けられるチェーン取付け孔と、装飾片が取り付けられる装飾片取付け部とを備えたカバー状の台座と、その空間部内のほぼ中心にはドーナツ形の車輪からなる回転部材が上下方向に回転可能に取り付けられた装身具用ペンダントにおいて、前記チェーン取付け孔に前記チェーンが挿通されて装身具用ペンダントがぶら下げられると、前記回転部材が上下方向に回転し、前記装飾片が定位置になることを特徴とする装身具用ペンダント。
【発明の詳細な説明】
【技術分野】
【０００１】
本発明は、宝石等を取り付けた装飾片を吊下げて形成する装身具用ペンダントに関する。
【背景技術】
【０００２】
従来より装身具用ペンダントには、多種多様のものがあり、その形も様々であるが、通常、首に介装するためのネックレス用チェーンと、ダイヤモンド等の宝石を取り付けた装飾片からなり、輪環を介して装飾片をチェーンに吊下げるか、あるいはチェーンの両端を装飾片に直接固定するタイプが存在する。
【０００３】
例えば、図２１は、装飾片１１２をネックレス用チェーン７０に吊下げた装飾用ペンダント１１０の使用例を横から見た状態を示したものである。図２１に示すように装飾片１１２は、装飾片が概ね垂直の状態で吊下げられたときにこれに取り付けられたダイヤモンド等の宝石が正面に向いている限りにおいては、美しく輝いて見えるものである。
【０００４】
一方、新しいタイプの装身具として、本願出願人は特願２００１−０８６４７１に記載した装身具用ペンダントを出願している。図２５および図２６は特願２００１−０８６４７１に記載した装身具用ペンダント１２０である。このようなペンダント１２０は、上方にペンダントチェーンが取り付けられるチェーン連結部１２３を備えた台座１２５の背面にテーパー状の定着部１２４を形成し、前面には先端に吊下孔１２８と後方に湾曲部１３０を設けた吊下部１３２が形成されている。吊下孔１２８は、係止環１４２により宝石１４４を取り付けた装飾片１４６を揺動可能に吊り下げるための孔である。
【０００５】
このような構造により、微振動でも装飾片１４６が前後左右に揺れることができるとともに、前だけではなく後方からも宝石１４４に光が入射されるので、宝石１４４が理想的な光の反射を行うことができ、宝石１４４を美しく輝かせてみせることができる。
【発明の開示】
【発明が解決しようとする課題】
【０００６】
しかしながら、従来の装身具用ペンダントでは使用しているときにその装飾片１１２が反り上がったりそり下がったりしてしまうことがあり、ペンダントそのものの美しさが損なわれるだけでなく使用感も悪くなるという問題があった。
【０００７】
図２４は従来のペンダントの使用中におけるこのような状態を示した概略図である。図２４(Ａ)はネックレス用チェーン７０に吊下げられたペンダント１１２の好ましい装着状態を示したものであり、装飾片の台座の背面全体が、例えば、使用者の胸元に面接触している。ところが、夏等の暑い日に汗をかくとペンダント１１２が首の特定の位置で肌に引っ付いてしまいスムーズに上方に移動しなくなることがある。このような状態で体を動かしネックレス用チェーン７０が更に上方向に引っ張られたときに、図２４(Ｂ)に示すように上端の角１１３が係止され、ペンダント１１２が反り上がってしまうことがあった。
【０００８】
反対に、ペンダント１１２が首の特定の位置で肌に引っ付いてしまいスムーズに下方に移動しなくなり、図２４(Ｃ)に示すように下端の角１１４が引っかかった状態でさらにネックレス用チェーン７０が垂れると、ペンダント１１２が反り下がってしまうことがあった。
【０００９】
本発明はこのような従来技術の課題を解決し、ペンダントの装着状態において、ペンダントがスムーズに上方あるいは下方に移動することで、ペンダントが反り上がったり反り下がったりせず、きわめて見栄えの良い装身具用ペンダントを提供することを目的とする。
【課題を解決するための手段】
【００１０】
本発明において上記課題を解決するための手段として、請求項１に記載された発明は、装飾片が取り付けられる装飾片取付け部と、チェーンが取り付けられるチェーン取付け孔が貫通、開口された台座と、該台座の両側にはドーナツ形の車輪からなる回転部材を備えた装身具用ペンダントにおいて、前記装飾片取付け部が前記台座の時計の針で概ね８時の位置に形成される吊下輪であり、かつ前記チェーン取付け孔が前記台座の上端に形成されていることで、前記台座のチェーン取付け孔に前記チェーンが挿通されて装身具用ペンダントがぶら下げられると、前記回転部材が上下方向に回転し、前記装飾片が定位置になる装身具用ペンダントであることを特徴とする。
【００１１】
請求項２に記載された発明は、チェーンが取り付けられるチェーン取付け孔と、装飾片が取り付けられる装飾片取付け部とを備えたカバー状の台座と、その空間部内のほぼ中心にはドーナツ形の車輪からなる回転部材が上下方向に回転可能に取り付けられた装身具用ペンダントにおいて、前記チェーン取付け孔に前記チェーンが挿通されて装身具用ペンダントがぶら下げられると、前記回転部材が上下方向に回転し、前記装飾片が定位置になる装身具用ペンダントであることを特徴とする。
【発明の効果】
【００１２】
本発明による装身具用ペンダントによれば、ペンダントが反り上がったり、反り下がったりすることが無い。このため、ペンダントそのものの美しさが損なわれることが無いとともに、使用感が悪くなくこともない。
【発明を実施するための最良の形態】
【００１３】
以下、本発明による装身具用ペンダントの実施の形態を図面を用いて説明する。図５から図７には、図２４に記載したペンダントの反り上がりまたは反り下がりを防止する具体例が示されている。
【００１４】
図５および図６は、図２４(Ｂ)に示したペンダントが反り上がるという従来の問題点の解決例を示している。すなわち、図５では、ペンダント３２の上端の両側に車輪３４を備えることで、ネックレス用チェーン３０が上に引っ張られても、車輪３４の回転によってペンダント３２が反り上がることを防止している。また、図６では、ペンダント３６の上端内側に車輪３８を備えた場合を示しており、図６(Ａ)には動作例が、図６(Ｂ)には側面図が示されている。図６の場合も図５と同様に、ネックレス用チェーン３０が上に引っ張られても、車輪３８が回転するのでペンダント３６が反り上がることが無い。
【００１５】
図７は、図２４(Ｃ)に示したペンダントが反り下がるという従来の問題点の解決例を示している。すなわち、図７では、ペンダント４０の下端内側に車輪４２を備えることで、ネックレスチェーン３０が垂れ下がった場合には車輪４２が回転してペンダント４０の反り下がりを防止している。このように、ペンダントの上端または下端、あるいは上端から下端全体をカバーする、車輪のような接触面との摩擦係数を少なくする回転部材を取り付けることで、反り上がりや反り下がりを防止することができる。
【００１６】
図１〜図４は、本発明による装身具用ペンダントの第１の実施の形態を示すもので、図１(Ａ)は、正面図を、図１(Ｂ)は、その側面図を示している。装身具用ペンダント１０は、例えば、金、銀、プラチナ等の貴金属や真鍮等の金属を原料として形成された台座１２と、例えば、ダイヤモンド、エメラルド、ルビー等の宝石２６を取り付けた装飾片２０と、この装飾片２０を胸元に吊るすために、前記同様の貴金属などを原材料として形成したネックレス用チェーン７０（図８参照）とから構成されている。
【００１７】
装身具用ペンダントの台座１２は、その形状には特に限定はないが、例えば、図１(Ａ)に示すように正面から見て略縦長の長方形であり、その上部の角が丸く形成されている。また、例えば、図１(Ｂ)に示すように、台座１２は側面から見て略円形であり、その上部にはネックレス用チェーン７０を挿通するチェーン連結部１８が幅方向に貫通、開口されている。このチェーン連結部１８の開口を大きくすることにより、より太径のネックレス用チェーンや、複数本の細径のネックレス用チェーンを編んだもの、真珠ネックレス等を挿通することもできる。
【００１８】
また、台座１２の前部には装飾片２０を取り付ける吊下部１５が形成されている。吊下部１５は、正面から見ると略逆三角形の形状であり（図１(Ａ)）、その先端部１５aが最高
位の高さになるように隆起状に形成されている。先端部１５aには、装飾片２０を取り付
ける吊下孔１３が形成されている。ただし、吊下部１５の形状には、前記のような限定が特にあるわけではなく、装飾片２０を吊り下げることができれば良いものである。
【００１９】
装飾片２０は、宝石２６とこれを巻装する係止環２４および輪環２２により構成されている。宝石２６は係止環２４に形成された複数本の爪部２５で挟持され固定されている。係止環２４の上部には輪環２２が取り付けられ、これが台座１２の吊下孔１３に挿通されている。装飾片２０は、これを身に装着したときでも、図４に示すように、その後ろに十分な隙間ができるので、左右だけでなく前後にも自由に揺動可能である。したがって、前後左右に宝石２６が微細に揺動することにより、静止状態では得られない反射光を宝石２６が放つことが可能となり、宝石２６を美しく輝かせることができる。
【００２０】
台座１２には、その内部にドーナツ形の車輪１６が取り付けられている。車輪１６は、例えば、台座１２と同等の金属材料で形成されており、時計方向または反時計方向に回動するので、その接触面である人肌との摩擦係数を小さくすることができる。すなわち、装飾用ペンダント１０が身に装着された状態では、車輪１６が直接肌に接触し、装飾用ペンダント１０の反り上がりや反り下がりが生じそうになると回転してこれを防止する。
【００２１】
図２は、図１(Ａ)の一点鎖線Ｇ−Ｇで切断したときの台座１２の断面図である。図２に示すように、断面が円形の車輪１６で囲まれた基部１４は、その表面１９が車輪１６の回転輪用軸表面となっている。表面１９には、車輪１６がスムースな回転運動が行えるように、必要に応じ、例えば、複数の小さなベアリング等が取り付けられる。
【００２２】
基部１４には、また、空洞の抜き部１７が形成されている。抜き部１７は、チェーン連結部１８の中心を通る点線Ｘ−Ｙを境とし、装飾用ペンダント１０の前部と後部の重さが等しくなるようにするバランサである。これにより、ネックレス用チェーンがチェーン連結部１８に挿通され、装身具用ペンダント１０が吊下げられると、点線Ｘ−Ｙを境にその前後の重さが等しいので、装飾片２０は、図２に示すような正面位置で安定して吊り下がることができる。ただし、装身具用ペンダント１０の前後の重さが他の方法により調整できるならば、抜き部１７は必要とされないことはいうまでもない。
【００２３】
図３は、図１(Ｂ)の一点鎖線Ｈ−Ｈで切断したときの台座１２の断面図である。図３に示すように、車輪１６はその断面が蒲鉾状の形状になっており、装身具用ペンダント１０を着けたときの接触面が丸みを帯び、軸表面１９側が平らになっている。もちろん、車輪１６を他の形状、例えば、断面平打ち状にすることができるのはいうまでもない。なお、車輪１６を台座１２の内部に把持する手段は色々あるが、例えば、台座１２が図３の点線Ｊ−Ｊ間で嵌め込むような構造になっており、車輪１６を基部１４の軸表面１９に嵌入した後、これら部材が分離しないように嵌め込めば良い。
【００２４】
図８は、本発明による装身具用ペンダントの第２の実施の形態を示した正面図(Ａ)と側面図(Ｂ)である。台座６２は、第１の実施の形態である台座１２と同様の材質により形成され、例えば、正面から見ると長方形で側面から見ると円形の円板形状とされている。台座６２は、その上端にネックレス用チェーン７０を挿通するチェーン連結部６３が形成されている。台座６２には、また、時計の針で概ね８時の位置に、装飾片２０の輪環２２が取り付けられる吊下輪６６が形成されている。側面図(Ｂ)に示すように装身具用ペンダント６０の場合も、装飾片２０の後ろに十分な空間があるので、装飾片２０は前後左右に揺動することが可能となり、宝石２６がより反射光を放って美しく輝くことができる。
【００２５】
台座６２の外側には、時計方向、反時計方向に回動自在の車輪６８が取り付けられている。この車輪６８は、第１の実施の形態で説明した車輪１６と同様の機能の車輪であり、これによりペンダントが反り上がったり、反り下がったりすることは無くなる。
【００２６】
図９は、装身具用ペンダント６０の分解図を示したものであり、(Ａ)は台座６２の正面図、(Ｂ)は台座６２の側面図、(Ｃ)は車輪６８の正面図である。台座６２の中心には車輪６８の軸６４を回動自在に挿通する車軸取付孔６５が形成されている。車輪６８は片側が軸６４から外れる構造になっており、片側が外れた状態で軸６４を車軸取付孔６５に取り付けた後、車輪６８の片側を軸６４に嵌合する。
【００２７】
図１０は、装身具用ペンダント６０の使用例を示したものであり、(Ａ),(Ｂ),(Ｃ)にしたがって車輪６８が接触する斜面が急になっている。図１０で明らかなように斜面の傾斜に関係なく装飾片２０は垂直に垂れ下がるが、最も使用状態に近い(Ｃ)では装飾片２０の後ろに十分の隙間ができるので、装飾片２０が前後左右に揺動可能とり、宝石２６を美しく輝かせることができる。
【００２８】
図１１は、本発明による装身具用ペンダントの第３の実施の形態を示した正面図(Ａ)と側面図(Ｂ)である。第３の実施の形態では、装飾片８０に車輪を付けるのではなく、側面図(Ｂ)に示すように台座８１が常に同じ状態でバランスを保つことを特徴としている。
【００２９】
装身具用ペンダント８０の台座８１は、正面から見て略長方形、側面から見て円形の円板状の形状であり、第１の実施の形態である台座１２と同様の材質により形成されている。台座８１の中心には、チェーン用ネックレス７０を挿通するためチェーン連結部８２が幅方向に穿設され、時計の針で概ね８時の位置に装飾片２０の輪環２２が取り付けられる吊下輪８４が形成されている。
【００３０】
図１２は、台座８０の正面図(Ａ)と、これに図示した一点鎖線Ｋ−Ｋで切断したときの断面図(Ｂ)である。また、図１３は台座８０の側面図(Ａ)と、これに図示した一点鎖線Ｌ−Ｌで切断したときの断面図(Ｂ)である。図１２および図１３の断面図(Ｂ)に示すように、台座８１の内部８３には軸部８２が取り付けられている。この軸部８２は、本体８１を時計方向または反時計方向に回動可能にする軸部であり、その中心にはチェーン用ネックレス７０（図１４参照）を挿通して取り付ける挿通孔８２aが穿設されている。本体８１は
また、内部８３の上部に空洞の抜き部８６が形成されている。この抜き部８６により吊下輪８４が時計の針で９時の位置でバランスが保たれるため、反り上がりや反り下がりが起こりそうになっても、軸部８２を軸に本体８１が回動してこれらを防止することができる。
【００３１】
図１０と同様に、図１４は装身具用ペンダント８０の使用例を示したものであり、(Ａ),(Ｂ),(Ｃ)にしたがって車輪８０が接触する斜面が急になっている。図１４で明らかなように斜面の傾斜に関係なく装飾片２０は垂直に垂れ下がるが、最も使用状態に近い(Ｃ)では装飾片２０の後ろに十分の隙間ができるので、装飾片２０が前後左右に揺動可能とり、宝石２６を美しく輝かせることができる。
【００３２】
図１５および図１６は、本発明による装身具用ペンダントの第４の実施の形態を示したものである。図１５には装身具用ペンダント８５の斜視図が、また図１６にはその正面図が示されている。この実施の形態の装身具用ペンダント８５は、装飾片８７と、ドーナツ形の車輪８８a,８８bおよびネックレス用チェーン７０により構成され、それぞれが各パー
ツとして独立している。
【００３３】
装飾片８７は、例えば、金、銀、プラチナ等の貴金属を原料とした細長い四角柱に形成され、その正面には、例えば、３個のダイヤモンド等からなる宝石８９が縦方向に並べて取り付けられている。装飾片８７はまた、その上部にネックレス用チェーン７０を挿通する挿通孔８７aが穿設されている。
【００３４】
挿通孔８７aの両側にはドーナツ形の車輪８８a,８８bが台座８７を挟んだ状態で配置され、車輪８８a,
挿通孔８７a，車輪８８bをネックレス用チェーン７０が挿通することでこれらが連結されている。ドーナツ形の車輪８８a,８８bは、第１の実施の形態で示した台座１２と同様の
材質で形成され、その直径が装飾片８７の厚みよりも長く、ネックレス用チェーン７０を軸に回動自在になっている。車輪８８a,８８bの回転により、装飾片８７の反り上がりを
防止することができる。また、この実施の形態の場合には装飾片８７が板状で細長いので、そのまま垂れ下がることで反り下がりが生じ難い。ただし、装飾片８７の形状や取り付けられる宝石等には、特に前記限定が存在しないことはもちろんである。
【００３５】
図１７は、本発明による装身具用ペンダントの第５の実施の形態を示した斜視図である。第５の実施の形態である装身具用ペンダント９１は、装飾片２０が取り付けられたリング状の台座９５と、この台座９５に回動自在に取り付けられたうす鉢状のコマ９７と、ネックレス用チェーン７０により構成されている。
【００３６】
装身具用ペンダント９１は、うす鉢状のコマ９７が回転することにより、台座９５の反り上がりや反り下がりを防止している。なお、この実施の形態に示した装身具用ペンダント９１の台座９５およびコマ９７の材質も第１の実施の形態で示した台座１２と同様の材質により形成されている。
【００３７】
図１８は、本発明による装身具用ペンダントの第６の実施の形態(Ａ)と、第７の実施の形態(Ｂ)を示したものである。これら第６の実施の形態(Ａ)および第７の実施の形態(Ｂ)はそれぞれ、台座の上端と下端に車輪を付けることにより、台座の反り上がりや反り下がりを防止している。
【００３８】
第６の実施の形態(Ａ)に示した装飾片９０は、台座９２の上端に車輪９８が内側に取り付けられているとともに、下端内側に車輪９９が取り付けられている。車輪９８は、ドーナツ形の車輪であり、ネックレス用チェーンを挿通するためのチェーン連結部９３の外周に回動可能なように取り付けられている。
【００３９】
第７の実施の形態(Ｂ)に示した装飾片１００は、台座１０２の上端内側に車輪１０７が取り付けられているとともに、下端内側に車輪１０８が取り付けられている。装飾片１００では、ネックレス用チェーンを挿通するためのチェーン連結部１０３は上端の車輪１０７と離れた位置に取り付けられている。
【００４０】
図１９〜図２１は、本発明による装身具用ペンダントの第７の実施の形態を示したもので、図１９はその正面図を、図２０はその側面図を、図２１は図２０の一点鎖線Ｍ−Ｍで切断したときの断面図である。装身具用ペンダント１５０は、第１の実施の形態と同様な材質で形成されているカバー状の台座１５２と、装飾片２０とネックレス用チェーン７０とから構成されている。
【００４１】
カバー状の台座１５２には、概観が円板状の本体上端にネックレス用チェーン７０を挿通するリング状のチェーン連結部１５４と、側面からみて時計の針で概ね８時の位置に装飾片２０を取り付けるための吊下輪１５８とが一体的に成形されている。チェーン連結部１５４にはチェーン７０が挿通される孔１５６が形成されており、この開口を大きくすることで、より太径のネックレス用チェーンや、複数本の細径のネックレス用チェーンを編んだもの、真珠のネックレス等を挿通することもできる。
【００４２】
吊下輪１５８の孔１５９に取り付けられた装飾片２０は、第１の実施の形態の場合と同様に、これを身に装着したときでも、図２０に示すように、その後ろに十分な隙間ができるので、左右だけでなく前後にも自由に揺動可能である。したがって、前後左右に宝石２６が微細に揺動することにより、静止状態では得られない反射光を宝石２６が放つことが可能となり、宝石２６を美しく輝かせることができる。
【００４３】
カバー状の台座１５２は中空体であり、図２１に示すように、その内部に回転軸１５３が形成され、これにドーナツ形の車輪１６０が取り付けられている。車輪１６０は、例えば、台座１５２と同等の金属材料で形成されており、上下方向に回動するので、その接触面である人肌との摩擦係数を小さくすることができる。すなわち、装飾用ペンダント１５０が身に装着された状態では、車輪１６０が直接肌または衣服に接触し、装飾用ペンダント１５０の反り上がりや反り下がりが生じそうになると回転してこれを防止する。なお、車輪１６０がスムースな回転運動が行うためには、必要に応じ、例えば複数の小さなベアリング等を回転軸１５３に取り付けることができる。
【００４４】
この実施の形態の場合、装身具用ペンダント１５０を身に着けるとチェーン７０によってぶら下げられ、チェーンを取り付ける孔１５９の位置と車輪１６０の作用と接触面より、装飾片２０が時計の針の８時の定位置になる。したがって、第１の実施の形態では必要であったバランサとなる抜き部１７が不要となり、台座１５２の構造が複雑にならないのでその分生産コストを抑えることができる。
【００４５】
以上の如く、本発明の実施の形態を図面を用いて説明したが、本発明は特にこれら実施の形態に限定されるものではなく、本発明の精神を逸脱しない種々の変形は本発明の範疇に含まれる。すなわち、本発明は、装身具用ペンダントの反り上がりや反り下がりを防止するため、台座に車輪を付けたり、台座内部にバランサを設けたり、またはバランサを必要としないようその形状に工夫を凝らしたことにある。
【００４６】
例えば、図２２は反り上がりや反り下がりを防止する車輪を装飾片に取り付けた代表的な組み合わせの一例をまとめたものである。なお、図２２では台座が人肌や衣服に接触する車輪が取り付けられた背面から見た図である。
【００４７】
(Ａ)は装飾片５２の上端と下端の内側にそれぞれ車輪５２aと５２bを取り付けた場合を示しており、第４の実施の形態と第５の実施の形態がこれに該当する。(Ｂ)は装飾片５４の上端と下端にそれぞれ２個づつ車輪５４a〜５４dを、装飾片５４の側面からこれら車輪が飛び出さないように取り付けた場合を示している。(Ｃ)は装飾片５６の上端と下端にそれぞれ２個づつ車輪５６a〜５６dを、装飾片５４の側面の外側に取り付けた場合を示している。(Ｄ)は装飾片５８の上端外側に２個の車輪５８aと５８bを、下端内側に車輪５８cを
取り付けた場合を示している。このように、車輪の取り付けに関しては様々なバリエーションがあり、これらに基づいた他の組み合わせを含め本発明の範疇に含まれる。なお、装飾片に取り付ける宝石は、ダイヤモンドやルビーまたはエメラレル等の色石の他に、コイン、真珠、カメオまたは琥珀等であってもよい。
【００４８】
図２３は台座へ車輪を取り付ける車輪取付構造を示したものである。図２３(Ａ)と(Ｂ)は図２２(Ａ)の場合の車輪取付け例を示したものである。台座５２の背面にはその上端部と下端部に車輪５２aおよび５２bを取り付ける切り欠き部が形成され、これら車輪を取り付けた状態でリベットのような取付け部材５３a、５３bで横から軸支する。
【００４９】
また、図２３(Ｃ)と(Ｄ)は図２２の(Ｂ)と(Ｄ)を組み合わせたときの車輪取付け例を示したものである。台座の上端に取り付けられる車輪５８aおよび５８bは、取付け部材５９a
により軸支され、これの先端に止め具５９bを装着することにより、これら車輪を回動自
在に台座５８にとりつける。車輪５８cは図２３(Ａ)と(Ｂ)と同様に取付け部材５９cにより取り付けられる。
【図面の簡単な説明】
【００５０】
【図１】本発明による装身具用ペンダントの第１の実施の形態を示す正面図(Ａ)と側    面図(Ｂ)である。
【図２】図１の正面図(Ａ)の一点鎖線Ｇ−Ｇで切断したときの部分断面図である。
【図３】図１の側面図(Ｂ)の一点鎖線Ｈ−Ｈで切断したときの断面図である。
【図４】図１に示した装身具用ペンダントの装飾片の動作を示す側面図である。
【図５】ペンダントの上端外側に車輪を付けたときの側面図である。
【図６】ペンダントの上端内部に車輪を付けたときの側面図である。
【図７】ペンダントの下端内部に車輪を付けたときの側面図である。
【図８】本発明による装身具用ペンダントの第２の実施の形態を示す正面図(Ａ)と側    面図(Ｂ)である。
【図９】図８に示した装身具用ペンダントの分解図である。
【図１０】図８に示した装身具用ペンダントにおいて、傾斜を変えたときの使用例を    示した側面図である。
【図１１】本発明による装身具用ペンダントの第３の実施の形態を示す正面図(Ａ)と    側面図(Ｂ)である。
【図１２】図１１に示したペンダントにおける台座の正面図と一点鎖線Ｋ−Ｋで切断    したときの断面図である。
【図１３】図１１に示したペンダントにおける台座の側面図と一点鎖線Ｌ−Ｌで切断    したときの断面図である。
【図１４】図１１に示した装身具用ペンダントにおいて、傾斜を変えたときの使用例    を示した側面図である。
【図１５】本発明による装身具用ペンダントの第４の実施の形態を示す正面図である    。
【図１６】図１６に示した第４の実施の形態の分解図である。
【図１７】本発明による装身具用ペンダントの第５の実施の形態を示す斜視図である    。
【図１８】本発明による装身具用ペンダントの第６の実施の形態(Ａ)と、第７の実施    の形態(Ｂ)の側面図である。
【図１９】本発明による装身具用ペンダントの第７の実施の形態を示した正面図であ    る。
【図２０】図１９に示した装身具用ペンダントの側面図である。
【図２１】図２０の一点鎖線Ｍ−Ｍで切断したときの断面図である。
【図２２】本発明による装身具用ペンダントの台座に取り付ける車輪のバリエーショ    ンを示した説明図である。
【図２３】図１９に示した車輪の取付け例を示した図である。
【図２４】従来技術における装身具用ペンダントの使用例を示した図である。
【図２５】従来技術における装身具用ペンダントの正面図である。
【図２６】従来技術における装身具用ペンダントの側面図である。
【図２７】従来技術における装身具用ペンダントの反り上がりおよび反り下がりの例    を示した図である。
【符号の説明】
【００５１】
１０，６０，８０，８５，９０，９１，１００，１５０ 装身具用ペンダント
１２，６２，８１，８７，９２，９５，１０２，１５２ 台座
１３，１５９ 吊下孔
１４ 基部
１５ 吊下部
１５Ａ 先端部
１６，６８，９８，９９，１０７，１０８，１６０ 車輪
１７ 抜き部
１８，６３，１５４ チェーン連結部
１９ 軸表面
２０ 装飾片
２２ 輪環
２４ 係止環
２５ 爪部
２６ 宝石
６６，８４ 吊下輪
７０ ネックレス用チェーン
【図１】
0004438017.tif 000002
【図２】
0004438017.tif 000003
【図３】
0004438017.tif 000004
【図４】
0004438017.tif 000005
【図５】
0004438017.tif 000006
【図６】
0004438017.tif 000007
【図７】
0004438017.tif 000008
【図８】
0004438017.tif 000009
【図９】
0004438017.tif 000010
【図１０】
0004438017.tif 000011
【図１１】
0004438017.tif 000012
【図１２】
0004438017.tif 000013
【図１３】
0004438017.tif 000014
【図１４】
0004438017.tif 000015
【図１５】
0004438017.tif 000016
【図１６】
0004438017.tif 000017
【図１７】
0004438017.tif 000018
【図１８】
0004438017.tif 000019
【図１９】
0004438017.tif 000020
【図２０】
0004438017.tif 000021
【図２１】
0004438017.tif 000022
【図２２】
0004438017.tif 000023
【図２３】
0004438017.tif 000024
【図２４】
0004438017.tif 000025
【図２５】
0004438017.tif 000026
【図２６】
0004438017.tif 000027
【図２７】
0004438017.tif 000028